(57)【要約】【課題】構成が簡単で軽量であると共にコストが低く、各種の機能性を有する装飾パネルと、素人でも容易に施工することができる装飾パネルの取付け構造を提供する。【解決手段】建築物の壁面Ｐ等に取付け固定される四辺形状の装飾パネル１は、正面視が四辺形状で裏面の外周に沿って切欠かれた段差４を有するベース２（２ａ，２ｂ）と、該ベースの表面と、これに連続する四辺形の４辺の端面とを被覆すると共に、ベースの裏面の外周を被覆する被覆材３とから形成されている。ベース２はダンボールから形成され、被覆材は生地であり、装飾パネル１は、ベース２と、被覆材３との間に機能部材５を有する。四辺形状のベース２の四隅に対応する壁面Ｐに粘着テープ２５で受け具１０を固定し、受け具に着脱可能に固定具２０を嵌合させ、装飾パネル１は固定具２０を介して受具２０に粘着テープ２５で固定される。【選択図】図２
2011058218.tif 000002
【特許請求の範囲】
【請求項１】
建築物の壁面等に取付け固定される四辺形状の装飾パネルであって、
該パネルは、正面視が四辺形状で裏面の外周に沿って切欠かれた段差を有するベースと、該ベースの表面と、これに連続する四辺形の４辺の端面とを被覆すると共に、前記ベースの裏面の外周を被覆する被覆材とから形成されていることを特徴とする装飾パネル。
【請求項２】
前記ベースはダンボールから形成され、前記被覆材は生地であることを特徴とする請求項１に記載の装飾パネル。
【請求項３】
前記装飾パネルは、前記ベースと、前記被覆材との間に機能部材を有することを特徴とする請求項１又は２に記載の装飾パネル。
【請求項４】
前記機能部材は、遮音機能、空気活性機能、消臭機能、芳香機能、緩衝機能、保温機能のうちの少なくとも１つの機能性を有することを特徴とする請求項３に記載の装飾パネル。
【請求項５】
前記被覆材は、前記ベースに着脱可能に固定されることを特徴とする請求項１から４のいずれかに記載の装飾パネル。
【請求項６】
前記被覆材は、前記ベースの辺に沿って面ファスナーで固定されることを特徴とする請求項５に記載の装飾パネル。
【請求項７】
前記ベースは、その裏面の外周に沿って切込みが形成され、
前記被覆材は、その外周端部が前記切込みに挿入支持されることを特徴とする請求項１から４のいずれかに記載の装飾パネル。
【請求項８】
請求項１〜７のいずれかに記載の装飾パネルの取付け構造であって、
前記四辺形状のベースの四隅に対応する前記壁面等に固定される受け具と、該受け具に着脱可能に嵌合する固定具とを備え、
前記装飾パネルは前記固定具を介して前記受け具に固定されることを特徴とする装飾パネルの取付け構造。
【請求項９】
前記受け具、及び前記固定具の一方は、水平方向に平行な２本にリブにより溝が形成され、該リブの１本は根元が肉薄で先端が肉厚の段差が形成され、
前記受け具、及び前記固定具の他方は、前記溝に挿入される水平の突条が形成され、該突条は根元が肉薄で先端が肉厚の段差が形成され、該他方の段差は前記一方の段差に係合することを特徴とする請求項８に記載の装飾パネルの取付け構造。
【発明の詳細な説明】
【技術分野】
【０００１】
本発明は、建築物の壁面等に取付け固定される装飾パネルと、その取付け構造に係り、特に、軽量でコストが低く、防音効果等に優れた機能性を有する装飾パネルと、このような装飾パネルを薄く取付けることができ、容易に取付け固定できる装飾パネルの取付け構造に関する。
【背景技術】
【０００２】
従来、この種の壁面に固定する壁面ブロックは、壁面に沿うように配置される壁面ブロックであって、壁面に対して立上がる外枠体が正面視して矩形の枠体部を有し、四辺の枠体部のうち少なくとも隣合う枠体部の外側面に、対向する残りの二辺の枠体部側に向けて窪む凹溝がそれぞれ形成されている（例えば、特許文献１参照）。
【０００３】
また、この種の壁面パネルの取付構造としては、壁面パネルに取り付けられた雄部材と、壁に取り付けられた雌部を有する受材からなり、壁面パネルの受材方向への押し込み力により、雄部材が変形せしめられながら雌部内に強制嵌入された状態では、雌部内で雄部材が復元して抜け止めとなっている（例えば、特許文献２参照）。
【先行技術文献】
【特許文献】
【０００４】
【特許文献１】特開２００８−２４８６７２号公報
【特許文献２】特開２００８−１４４４９２号公報
【発明の概要】
【発明が解決しようとする課題】
【０００５】
ところで、前記特許文献１に記載の壁面ブロックでは、パネルユニットは複数個、実施の形態では四個の壁面ブロックどうしを組合わせて正面視して矩形のパネルユニットとしているものであり、各壁面ブロックは、外枠体と前板体とを有し、外枠体と前板体とはそれぞれ合成樹脂により一体または別体に成形されている。このため、壁面ブロックの意匠を容易に変更することができず、配置換えも容易に行えず、構成が複雑で、重量の大きいものとなっている。
【０００６】
また、前記特許文献２に記載の壁面パネルの取付構造は、壁面パネルを固定するための受材はネジを用いて壁面に固定されており、壁面パネルの上面に固定された雄部材を受材の雌部に挿入して固定する構成となっており、壁面パネルを固定するための構成が複雑であり、また、壁面パネルは板材等が使用され、重量が大きいため固定するための施工が煩雑であった。さらに、壁面パネルを取付ける雄部材と受材の構成の厚さが大きく、壁面パネルの位置は壁面から空間を有して離れて固定され、壁厚が大きく増えて結果的に室内の有効面積を縮めることとなっていた。
【０００７】
本発明は、このような問題に鑑みてなされたものであって、その目的とするところは、構成が簡単で軽量であると共にコストが低く、各種の機能性を有する装飾パネルを提供することにある。そして、装飾パネルの取付け固定が容易であり、素人でも容易に施工することができる装飾パネルの取付け構造を提供することにある。また、装飾パネルを壁面等に接近させて固定でき、室内を有効に利用できる装飾パネルと、その取付け構造を提供することにある。
【課題を解決するための手段】
【０００８】
前記目的を達成すべく、本発明に係る装飾パネルは、建築物の壁面等に取付け固定される四辺形状の装飾パネルであって、このパネルは、正面視が四辺形状で裏面の外周に沿って切欠かれた段差を有するベースと、該ベースの表面と、これに連続する四辺形の４辺の端面とを被覆すると共に、前記ベースの裏面の外周を被覆する被覆材とから形成されていることを特徴としている。
【０００９】
前記のごとく構成された本発明の装飾パネルでは、正面視が四辺形状のベースの表面と、これに連続する四辺形の４辺の端面と、裏面の外周とを被覆材で被覆して装飾パネルを形成するため、被覆材を変更することで装飾パネルのデザインや意匠を容易に変更することができると共に、ベースの表面と、ベースの４辺の端面と、ベースの裏面の周囲を被覆材で覆うことで、装飾パネルの奥行き部分を装飾してベースの端部を隠すことができ、装飾パネルの質感を高めることができる。また、ベースの裏面外周に切欠き形成された段差に、この装飾パネルを壁面等に取付け固定するための固定具を固定することで、装飾パネルを壁面に接近させた状態で固定することができ、室内の有効面積を縮めることが防止される。さらに、段差に固定具を固定することで、壁面への装飾パネルの取付け固定を容易に行うことができる。
【００１０】
また、本発明に係る装飾パネルの好ましい具体的な態様としては、前記ベースはダンボールから形成され、前記被覆材は生地であることを特徴としている。このように構成された装飾パネルでは、装飾パネルを構成する四辺形のベースはダンボールから形成され、このダンボールのベースの表面と、端面と裏面の外周を生地の被覆材で覆っているため、軽量で低コストを達成することができる。また、生地の意匠を変更することで、趣の異なる多種類の装飾パネルを容易に作製することができる。さらに、本発明の装飾パネルを壁面等に取付けることで、例えば隣室からの騒音の放射を抑制することができ、また保温性能に優れているため住環境を改善することができる。
【００１１】
また、本発明に係る装飾パネルの好ましい具体的な態様としては、前記装飾パネルは、前記ベースと、前記被覆材との間に機能部材を有することを特徴としている。この機能部材は、遮音機能、空気活性機能、消臭機能、芳香機能、緩衝機能、保温機能のうちの少なくとも１つの機能性を有するものであることが好ましい。このように構成された装飾パネルでは、ベースと被覆材との間に機能部材を介在させることで、装飾パネルの表面に消臭機能、芳香機能、緩衝機能、断熱機能等のすくなくとも１つを与えることができ、建築物の内部空間を快適にすることができる。また、機能性を持たせることの１つとして、機能部材に炭等の微粒子を含ませることで空気の清浄機能を持たせることもできる。
【００１２】
さらに、前記被覆材は、前記ベースに着脱可能に固定されることが好ましく、前記被覆材は、前記ベースの辺に沿って面ファスナーで固定されることが好ましい。被覆材を着脱可能とすると、被覆材を容易に交換することができ、汚れたときは取り外して洗濯することもできる。また、被覆材をベースの辺に沿って面ファスナーで固定すると、被覆材にしわ等が発生することなく、容易に固定することができる。
【００１３】
本発明に係る装飾パネルの好ましい具体的な他の態様としては、前記ベースは、その裏面の外周に沿って切込みが形成され、前記被覆材は、その外周端部が前記切込みに挿入支持されることを特徴としている。このように構成された装飾パネルでは、生地の外周端部がベースの切込みに挿入されて支持されているため、生地がベースから外れにくくでき、生地の安定性を向上して、装飾パネルの耐久性を向上させることができる。また、被覆材の外周端部が切込みに挿入され、接着固定されると、被覆材はベースに安定して固定され、被覆が剥がれることを防止できる。
【００１４】
本発明に係る装飾パネルの取付け構造は、前記のいずれかに記載の装飾パネルの取付け構造であって、前記四辺形状のベースの四隅に対応する前記壁面等に固定される受け具と、該受け具に着脱可能に嵌合する固定具とを備え、前記装飾パネルは前記固定具を介して前記受け具に固定されることを特徴としている。壁面等への受け具の固定は粘着材による固定が好ましく、固定具への装飾パネルの固定も粘着材による固定が好ましい。このように構成された装飾パネルの取付け構造では、装飾パネルの四辺形状のベースの四隅に対応する壁面等に受け具を固定し、この受け具に固定具を嵌合させて固定し、固定された固定具の外周側の面に装飾パネルを固定するため、素人でも容易に短時間で施工することができる。
【００１５】
本発明に係る装飾パネルの取付け構造の他の具体的な態様としては、前記受け具、及び前記固定具の一方は、水平方向に平行な２本にリブにより溝が形成され、該リブの１本は根元が肉薄で先端が肉厚の段差が形成され、前記受け具、及び前記固定具の他方は、前記溝に挿入される水平の突条が形成され、該突条は根元が肉薄で先端が肉厚の段差が形成され、該他方の段差は前記一方の段差に係合することを特徴としている。このように構成された装飾パネルの取付け構造では、受け具の水平方向に平行な２本にリブにより形成された溝内に、固定具の水平な突条を挿入するだけで、段差同士が係合するため脱落が防止され、しかも、水平方向に自由度があるため装飾パネルの位置を水平にずらして所定の位置に固定することができる。
【発明の効果】
【００１６】
本発明の装飾パネルは、軽量で低コストの装飾パネルを壁面等に取付け固定することで、室内の趣向を容易に変更することができる。また、固定された装飾パネルにより外部からの騒音の進入を低減することができると共に、保温や遮熱性能等の機能性を向上させることができる。さらに、装飾パネルを壁面等に取付け固定しても、壁面からの突出量を少なくでき、室内の有効面積を縮めることを防止できる。本発明の係る装飾パネルの取付け構造は、専門家でなく素人でも、短時間で容易に室内の雰囲気を変えることができる。
【図面の簡単な説明】
【００１７】
【図１】本発明に係る装飾パネルの一実施形態を示し、（ａ）は正面図、（ｂ）はその側面図。
【図２】（ａ）は図１の装飾パネルの裏面図、（ｂ）は（ａ）の要部拡大側面図、（ｃ）は（ａ）の要部拡大縦断面図。
【図３】図１，２の装飾パネルのベースの裏面図と、被覆材としての生地の広げた状態を示す裏面図。
【図４】本発明に係る装飾パネルを壁面等に取付け固定する受け具と固定具の分離した状態の斜視図。
【図５】本発明に係る装飾パネルを壁面に取付け施工する動作状態を示す透視図。
【図６】本発明に係る装飾パネルを固定するためのブラケットを壁面に固定する動作状態を示す立面図。
【図７】図６に続く動作状態を示す立面図。
【図８】（ａ）は本発明に係る装飾パネルを壁面に取付け施工する動作状態を示す要部断面図、（ｂ）は一度固定した装飾パネルを取り外した状態の要部断面図。
【図９】本発明に係る装飾パネルを壁面に取付け固定する変更例を示す動作説明図であり、（ａ）は装飾パネルの正面図、（ｂ）は装飾パネルを壁面に接近させる側面図、（ｃ）は装飾パネルを順次壁面に固定する正面図。
【図１０】本発明の係る装飾パネルのベースに被覆材を固定する他の実施形態を示し、（ａ）は要部斜視図、（ｂ）は固定手段の要部断面図、（ｃ）は被覆動作を示す要部断面図。
【図１１】本発明に係る装飾パネルを構成するベースの変更例を示す要部断面図。
【図１２】本発明に係る装飾パネルを構成するベースの段差の変更例を示す要部斜視図。
【図１３】本発明に係る装飾パネルの取付け構造を示す他の実施形態の透視図。
【図１４】本発明に係る装飾パネルに取付けられる照明装置を示す要部斜視図。
【発明を実施するための最良の形態】
【００１８】
以下、本発明に係る装飾パネルと、その取付け構造の一実施形態を図面に基づき詳細に説明する。先ず、図１〜３に基づいて、本発明に係る装飾パネルを詳細に説明する。本実施形態の装飾パネル１は、四辺形として正方形状のベース２と、このベース２の少なくとも表面を覆う被覆材として生地３を備えている。ベース２は表面ボード２ａと裏面ボード２ｂとを積層して構成され、表面ボード２ａの正方形に対して裏面ボード２ｂの正方形が小さく形成され、外周に額縁状の段差４が形成されている。この段差４はベース２の外周に沿って所定の幅で形成され、この装飾パネル１を壁面等に取付け固定するための後述する固定具２０が固定されるスペースとなっている。
【００１９】
ベース２を構成する表面ボード２ａは平坦な４５ｃｍ程度の正方形のダンボールで形成され、裏面ボード２ｂは同様に平坦な正方形のダンボールで形成され、その大きさは３５ｃｍ程度の正方形となっている。このため、外周に形成された段差４の幅は、約５０ｍｍ程度となっている。ベース２は表面ボード２ａと裏面ボード２ｂとを２枚重ねて厚さが１３ｍｍ程度に形成されている。なお、ダンボールの大きさは３０〜６０ｃｍ程度で、適宜の大きさを選択でき、その厚さは１０〜２０ｍｍ程度が好適である。ベース２を構成する表面ボード２ａ、裏面ボード２ｂは中間層にアルミニウム箔を積層したダンボール、若しくは難燃性のダンボールが好ましい。
【００２０】
本実施の形態では、ベース２と生地３との間にウレタンフォーム等からなる機能部材５が介在されており、生地３はベース２の表面と、側面と、裏面の外周部を覆う形状のものが使用されている。すなわち、生地３は、図３に示されるように、ベース２の表面を覆う正方形部分と、表面に連続する４辺の端面を覆う細長長方形部分３ａと、４辺の端面に連続する細長台形部分３ｂと、台形部分に連続する細長長方形部分３ｃ（先端部）を備えており、ベース２の外周縁部を包むように構成されている。なお、ベース２に機能部材５を重ね、さらに生地３を重ねて単純に積層するだけで装飾パネルを構成してもよい。また、機能部材５はベース２の正面に連続する端面部分まで延出するものでもよい。
【００２１】
ベース２を構成するダンボールは、裏面の外周に沿って切込み６が形成されている。切込み６はベース２の表面ボード２ａの外周から５〜２０ｍｍ程度離して四辺形の外周に沿って平行に形成されている。この切込み６はベース２の表面と端面と裏面の外周部を覆う生地３の端部である細長長方形部分３ｃの先端部が挿入されるものであり、生地３の外周の先端部（３ｃ）を切込み６に挿入することで生地３のベース２からの脱落を防止するものである。
【００２２】
ベース２の少なくとも表面を覆う生地３は厚手のものや薄手のもの、色や柄等、適宜選択できるが、ガーゼ等の薄手のものを使用して無地のヌードパネルとして構成し、さらに、装飾用の厚手のものを重ねて形成することもできる。ベース２と生地３との間に位置する機能部材５は、遮音機能、空気活性機能、消臭機能、芳香機能、緩衝機能、保温機能のうちの少なくとも１つの機能性を有するものであり、フェルトやスポンジ等を使用することもでき、その厚さは３〜５ｍｍ程度が好ましい。消臭、芳香機能としては、消臭剤や芳香剤を含ませることで、その機能を発揮できる。緩衝機能としては、フェルトやスポンジは表面に位置する生地３に弾力を与え、外部からの衝撃を緩衝できる。また、保温機能としては、ダンボール、フェルトやスポンジは内部に空気を含んでおり、温度勾配を緩和することができる。
【００２３】
装飾パネル１は、生地３の中央の正方形部分にウレタンフォーム等の機能部材５を位置させ、その上にダンボールからなるベース２を載置し、生地３の正方形から突出している細長の長方形部分３ａと台形部分３ｂとを折り返して台形部分の外側の細長長方形部分３ｃを切込み６に挿入して固定する。なお、切込み６に挿入する際に生地３の先端部に接着剤を塗布して固定することもできる。このようにして形成された装飾パネル１は、ベース２がダンボールで形成され、生地３でベース２の表面と周囲の端面と裏面の外周部とを覆うことで、低コストで軽量に形成することができる。
【００２４】
装飾パネル１を構成するベース２のダンボールは軽量で多層構造であるため、騒音等の振動を効果的に減衰させることができ、装飾パネル１に遮音の機能性を与えることができる。また、ウレタンフォームで構成された機能部材５に炭等の微粒子を混在させることにより、あるいはダンボールに炭を含んだ塗料等を塗工することで、装飾パネル１に空気を清浄化する空気活性機能を与えることができる。さらに、ベース２および機能部材５は保温性に優れており、住宅等の壁面に貼り付けることで、結露を防止する保温効果という機能性を与えることができる。また、ベース２と生地３との間に機能部材５を設置することで、外部からの衝撃を吸収する緩衝機能を付与することができる。
【００２５】
本実施の形態の装飾パネル１は、ベース２の少なくとも正面を生地３で覆って構成されるため、生地の色、模様、折柄等を容易に選択することができ、この装飾パネル１を取付け固定する部屋の雰囲気を使用目的にあわせて容易に変更することができるため、機能性を有するデザインパネルということができる。例えば、寝室では防音性が優れた装飾パネルを使用すると好ましく、居室では癒し空間を形成する機能を有するものが好ましく、併せて冷暖房の効果を高めることができる。
【００２６】
つぎに、このように構成された本実施の形態の装飾パネル１を壁面等に固定する受け具であるブラケット１０と、固定具であるクランプ２０について、図４を参照して説明する。ブラケット１０は住宅等の内装壁面等に固定されるものであり、プラスチック、例えばＰＥＴ樹脂等で形成され、壁面等に固定される平坦面を有する基部１１と、この基部より所定の間隔を有して平行に立ち上げた２本のリブ１２，１３とを有しており、２本のリブ間に溝１４が形成されている。一方のリブ１２は根元が肉薄で先端が肉厚の段差が形成され、入口の幅が狭く、奥が広い形状となっている。基部１１のリブが形成された面と反対側の平坦面には粘着テープ１５が貼着され、表面には離型紙１５ａが貼り付けられている。また、基部１１には、このブラケット１０を釘１６やピン等で固定するための貫通孔１１ａが形成されている。ＰＥＴ樹脂は再生プラスチックを用いると好ましい。
【００２７】
また、このブラケット１０に連結されて固定されるクランプ２０は同様にＰＥＴ樹脂等で形成され、前記の装飾パネル１が固定される平坦面を有する基部２１と、この基部から平坦面と反対側に立ち上げられた１本のリブ（突条）２２とを有している。リブ２２はブラケット１０の２本のリブ１２，１３間に形成された溝１４に嵌合され、係止されるものであり、リブ２２は根元が肉薄で先端が肉厚の段差が形成され、ブラケット１０の１本のリブ１２の段差に係止される構成となっている。そして、平坦面には粘着テープ２５が貼着され、表面には離型紙２５ａが貼り付けられている。段差を形成する面は垂直面でも傾斜面でもよいが、垂直面では係合状態が安定し、傾斜面ではブラケット１０からクランプ２０の取り外しが容易となる。
【００２８】
前記の如く構成された本実施形態の装飾パネル１の壁面Ｐへの取付け固定動作について、図５〜８を参照して、以下に説明する。本実施の形態の装飾パネル１を住宅の内壁面に固定するときは、先ず、壁面Ｐに装飾パネル１の大きさに合せてブラケット１０，１０…を粘着テープ１５で固定するための位置を設定する。
【００２９】
図６に示すように、装飾パネル１が固定される壁面Ｐの領域の四隅に対応して４つのブラケット１０を固定する。先ず、下端の左側の部位に第１のブラケット１０Ａを粘着テープ１５で固定する。つぎに、固定されたブラケット１０Ａの右側に、長さがＬ１の横スペーサＳＰ１を当て、横スペーサの他端に第２のブラケット１０Ｂを粘着テープ１５で固定する。このようにして、先ず下方の２つのブラケット１０Ａ，１０Ｂを水平に壁面Ｐに固定する。
【００３０】
このあと、第１のブラケット１０Ａの上方に、長さがＬ２の縦スペーサＳＰ２を当て、縦スペーサの上端に第３のブラケット１０Ｃを粘着テープ１５で固定する。そして、第４のブラケット１０Ｄを第２のブラケット１０Ｂの上方に縦スペーサＳＰ２を当て、第３のブラケット１０Ｃの右側に横スペーサＳＰ１を当て、両スペーサの端面に接触するように第４のブラケット１０Ｄを接触させて粘着テープ１５で固定する。
【００３１】
装飾パネル１の大きさを４５０ｍｍ四方とし、ブラケット１０の横寸法ｘを４５ｍｍ、縦寸法ｙを２５ｍｍとし、ｙ１を９ｍｍ程度、ｙ２を７ｍｍ程度に設定し、ブラケットの外周側に１０ｍｍ程度の余裕をとると、横スペーサＳＰ１の長さは、
４５０−（４５×２）−（１０×２）＝３４０ｍｍ程度の寸法に設定される。また、縦スペーサＳＰ２の長さＬ２は、
４５０−｛（９＋７）×２｝−（１０×２）＝３９８ｍｍ程度の寸法に設定される。
【００３２】
このようにして、１枚の装飾パネル１を取付け固定するための４つのブラケット１０Ａ，１０Ｂ，１０Ｃ，１０Ｄを壁面Ｐに固定する。ブラケット１０Ａ〜１０Ｄの固定は、粘着テープ１５の離型紙１５ａを剥がしてブラケット１０を壁面Ｐに押し付けるだけで容易に固定できる。さらにブラケット１０を壁面Ｐに強力に固定するときは、基部１１の貫通孔１１ａに釘１６等を打ち込む。これにより、ブラケット１０の壁面Ｐへの強固な固定が可能となる。
【００３３】
このあと、図７に示すように、第１の装飾パネル１の上側に隣接する第２の装飾パネルを固定するための４つのブラケット１０を壁面Ｐに固定する。第１の装飾パネル１の上部に第２の装飾パネル１を固定するときは、第３のブラケット１０Ｃの上部に間隔用の長さがＬ３の隙間スペーサＳＰ３を位置させ、隙間スペーサの下端面を第３のブラケットの上方のリブに対接させ、第２の装飾パネル用の第５のブラケット１０Ｅの下方のリブをスペーサＳＰ３の上端面に接触させて粘着テープ１５で壁面Ｐに固定する。同様にして、第４のブラケット１０Ｄの上部に隙間スペーサＳＰ３を当てて、第６のブラケット１０Ｆを壁面Ｐに固定する。隙間スペーサＳＰ３の長さＬ３は３８〜４０ｍｍ程度に設定される。
【００３４】
そして、前記と同様に、第２の装飾パネル用の下方の２つのブラケット１０Ｅ，１０Ｆの上方に、２つのブラケット１０Ｇ，１０Ｈを横スペーサＳＰ１と縦スペーサＳＰ２を用いて所定の間隔で壁面Ｐに粘着テープ１５で固定する。この４つのブラケット１０Ｅ，１０Ｆ，１０Ｇ，１０Ｈにより、第２の装飾パネルを取付け固定することができる。この動作を繰り返すことにより、複数の装飾パネル用のブラケットを壁面Ｐに取付け固定し、天井面に接近する位置まで固定する。縦一列の装飾パネルの固定が完了したあと、隣接する縦列の装飾パネル用のブラケットを固定する。
【００３５】
先ず、隣接する側に固定されたブラケット１０Ｂの右に、長さがＬ４の側部用のスペーサＳＰ４を接触させ、間隔Ｌ４を開けてブラケット１０Ｉを粘着テープ１５で固定する。また、同様に隣接する側に固定されたブラケット１０Ｄの右側に側部用のスペーサＳＰ４を接触させ、間隔Ｌ４を開けてブラケット１０Ｊを粘着テープ１５で固定する。このようにして、縦方向の２つのブラケット１０Ｉ，１０Ｊを固定したあと、横スペーサＳＰ１を用いてこれらのブラケットの右側に、間隔Ｌ１を開けてブラケット１０Ｋを固定し、横スペーサＳＰ１と縦スペーサＳＰ２を用いてブラケット１０Ｌを固定する。以下、同様にして、４つのスペーサを用いて所定の間隔を保持して必要な数の装飾パネルを固定するためのブラケット１０，１０…を粘着テープ１５で固定する。側部用のスペーサＳＰ４の長さＬ４は２０ｍｍ程度に設定される。
【００３６】
このようにして、縦横に、多数のブラケット１０，１０…を所定の間隔で壁面Ｐに固定したあと、これらのブラケットに装飾パネル１を固定するべく、すべてのブラケット１０にクランプ２０を嵌合させる。すなわち、固定されたブラケットの水平な２本のリブ１２，１３間の溝１４に、クランプ２０の水平なリブ（突条）２２を挿入させ押込むと、クランプ２０の突条の段差がリブ１２の段差に噛み合い、確実に嵌合して脱落が防止される。すべてのブラケット１０にクランプ２０を嵌合させたあと、１つの装飾パネル１に対応する４つのクランプ２０の粘着テープ２５の離型紙２５ａを剥がし、装飾パネル１の裏面の段差４を押し付ける。押し付けられた装飾パネル１は、その段差４部分が４つの粘着テープ２５で容易に、しかも確実に固定される。
【００３７】
１つの装飾パネル１を４枚の粘着テープ２５でクランプ２０に固定したあとは、隣接する例えば上の４つのブラケット１０に嵌合されたクランプ２０の離型紙２５ａを剥がして２番目の装飾パネル１を固定する。この動作を繰り返すことで、壁面Ｐに固定されたブラケット１０とクランプ２０のすべてに装飾パネル１，１…を固定することができる。なお、前記のブラケット１０の壁面Ｐへの固定は、下方から上方に向けて順次固定する動作を説明したが、逆に上方から下方に向けて順次ブラケットを固定することも可能である。また、横方向に並べて取付け固定してから縦方向に取付け固定することもできる。
【００３８】
このようにして、壁面Ｐに固定された装飾パネル１は、ブラケット１０を壁面Ｐに粘着テープ１５により固定し、固定されたブラケット１０にクランプ２０を嵌合させ、クランプ２０に粘着テープ２５で装飾パネル１を壁面Ｐに固定するため、固定後にブラケット１０とクランプ２０の結合を外すことにより、装飾パネル１を壁面Ｐから容易に取り外すことができる。このように壁面Ｐに固定された装飾パネル１は、その裏面が図８（ａ）に示すように壁面Ｐに密着して、隙間は殆ど形成されず、遮音、保温等の機能性が安定する。図８（ｂ）は、一度粘着テープ２５で固定した装飾パネル１をブラケット１０から外した状態を示している。したがって、一度固定した装飾パネル１を外して他の趣向の異なるパネルを取付けなおすことができ、装飾パネルの位置を容易に変更することもでき、室内壁面の趣向を容易に変更することができる。
【００３９】
装飾パネル１を固定するブラケット１０とクランプ２０は、組み合わせた状態で所定の厚さを有しており、通常ではその厚さ分だけ壁面Ｐから離れた状態で取付け固定されるが、本実施形態の装飾パネル１では裏面に段差４が形成され、一方のクランプ（固定具）２０は段差４に粘着テープ２５を介して固定されるため、装飾パネル１と壁面Ｐとの間隔を狭めることができる。このため、装飾パネル１の機能性で、例えば遮音性や断熱性を向上させるためにダンボールの厚さを増やしても、装飾パネル１の壁面Ｐからの突出量が大きくならず、部屋の有効面積を狭めることが防止される。
【００４０】
つぎに、本発明に係る装飾パネルを壁面等に固定する動作の変更例について、図９を参照して説明する。図９において、装飾パネル１はその裏面に４個のクランプ２０が粘着テープ２５で固定されると共に、４個のクランプ２０にはそれぞれ４個のブラケット１０が嵌合固定されている。この状態で、ブラケット１０の粘着テープ１５の離型紙１５ａを剥がし、４個のブラケットの粘着テープを壁面Ｐに固定するための準備をする。装飾パネル１を壁面Ｐに固定する際に、図５に示すような壁面に基準線を付しておくと、装飾パネルの固定が容易となる。
【００４１】
先ず、基準となる第１の装飾パネル１を壁面Ｐに矢印Ｙのように押し付けると、４つのブラケット１０の離型紙１５ａをはがした粘着テープ１５により第１の装飾パネルを壁面に固定することができる。この状態で、装飾パネル１を水平方向にずらすと、ブラケット１０の２本にリブ１１，１２間の溝１４に嵌合しているクランプ２０の１本のリブ２２は嵌合が外れて、４個のブラケット１０から装飾パネル１を外すことができる。このように装飾パネル１を外した状態でブラケット１０の基部１１に釘等を打ち込んでブラケット１０を壁面Ｐに確実に固定することができる。
【００４２】
第１の装飾パネル１を壁面Ｐに固定した後、この装飾パネルを基準として、その周囲に次の装飾パネルを取付け固定する。図９（ｃ）では、第１の装飾パネル１の右に、第２の装飾パネル１ａを固定する。この場合、前記と同様に、第２の装飾パネルの裏面に固定された４個のクランプ２０に、それぞれブラケット１０を嵌合させ、ブラケット１０の粘着テープ１５の離型紙１５ａを剥がして、第１の装飾パネル１の右側面に第２の装飾パネル１ａの左側面を接触させ、第１の装飾パネル１と高さを合わせて壁面Ｐに押し付けて粘着テープ１５で固定する。
【００４３】
同様に、第１の装飾パネル１の左に、第３の装飾パネル１ｂを固定し、さらに、第１の装飾パネル１の下に、第４の装飾パネル１ｃを固定し、次いで、第１の装飾パネル１の上に、第５の装飾パネル１ｄを固定する。このように、固定された装飾パネルの側面や上下面を利用して、これらの面を基準として順次、次の装飾パネルを固定することで、壁面Ｐの所望の領域を装飾パネルで覆うことができる。このように、固定された装飾パネルを用いて順次、次の装飾パネルを取付け固定する場合は、前記の取付け固定動作と比較してスペーサを用いないで固定することができる特長がある。
【００４４】
つぎに、本発明に係る装飾パネル１のベース２に被覆材である生地を固定する他の実施形態について、図１０を参照して説明する。この実施形態では、被覆材である生地３Ａはベース２に面ファスナーで固定されることを特徴としており、他の実質的の同等の構成については説明を省略する。面ファスナーＦとは、マジックテープ（登録商標）と称されるものが好適であり、一方のテープ部Ｆ１には多数のループ状の繊維が形成され、他方のテープ部Ｆ２にはループ状繊維に引っ掛かる鉤型の突起が多数形成されており、突起が繊維に係合して両テープ部が結合される構成となっている。
【００４５】
図１０において、ベース２は前記の実施形態と同様に表面ボード２ａと裏面ボード２ｂとを積層して構成され、裏面の外周に沿って段差４が形成され、この段差には面ファスナーＦのループ状繊維を有するテープ部Ｆ１が固定されている。テープ部Ｆ１の固定は両面テープや接着剤が好ましいが他の固定手段を用いてもよい。一方、被覆材を構成する生地３Ａはベースの表面を覆う表面部３ｄと、ベース２の表面ボードの端面を覆う端面部３ｅと、ボード２の段差４を覆う裏面部３ｆとを有しており、裏面部の端部は傾斜面となっており、ベースを被覆したときに生地が重ならないように形成されている。そして、裏面部３ｆの外周側には面ファスナーＦの鉤型の突起を有するテープ部Ｆ２が固定されている。テープ部Ｆ２の固定は生地に縫い込まれているが、両面テープ止めや接着による固定でもよい。テープ部Ｆ１、及びテープ部Ｆ２の固定は、ベース２の外周辺に沿って平行に固定されている。
【００４６】
このように構成されたベース２への生地３Ａの固定は、生地中央の正方形の表面部３ｄをベース２の表面に合わせ、生地３Ａの端面部３ｅを直角に折り曲げてベース２の端面に合わせ、さらに、裏面部３ｆをベースの段差４に合わせて直角に折り曲げると、段差４に固定されたテープ部Ｆ１と生地３Ａに固定されたテープ部Ｆ２とが接触され、鉤状の突起がループ状の繊維に引っ掛かり生地３Ａの１辺がベース２に固定される。この動作を残りの３辺に繰り返すことで、ベース２の表面と端面及び段差４の部分が生地３Ａで被覆される。
【００４７】
装飾パネル１に、このようにしてベース２の外周に沿って平行に固定された面ファスナーＦを用いて生地３Ａを被覆すると、生地３Ａはその端辺が真直ぐに固定されるため生地がたるむことや、よじれることが回避され、表面にしわが生じることがなくなり、プロでなく素人でも美しく被覆することができる。また、面ファスナーＦは外すことが容易に行えるため、生地３Ａの交換や汚れたときの洗濯等が容易に行えるメリットがある。さらに、ベース２と生地３Ａとの間に機能部材であるウレタンフォーム５等が装着され、その機能性が低下したときも容易に交換できるメリットがある。
【００４８】
前記した実施の形態では、装飾パネル１のベース２を構成するダンボールとして、２層のダンボールの例を示したが、図１１に示されるような３層構造のダンボール２ｃを使用することもできる。図１１に示されるダンボール２ｃは、中央の厚手のダンボールの両面に薄手のダンボールを接着した３層構成となっている。なお、ダンボールはさらに多層構成としてもよい。
【００４９】
また、前記した実施の形態では、装飾パネル１の裏面のクランプ２０を固定するための段差として、外周の全周に形成した段差４の例を示したが、図１２に示される装飾ボード１Ｂのように、幅の狭い全周の段差の内側にクランプを固定するための段差４ａを形成してもよい。
【００５０】
つぎに、本発明の他の実施形態を図１３に基づき詳細に説明する。図１３は本発明に係る装飾パネルの取付け構造の他の実施形態の透視図である。なお、この実施形態は前記した実施形態に対し、装飾パネルは一部のパネルが湾曲しており、天井面まで連続していることを特徴とする。そして、他の実質的に同等の構成については同じ符号を付して詳細な説明は省略する。
【００５１】
本実施の形態では、天井面に近い上部の装飾パネル１Ｃは、壁面Ｐから天井面Ｒに連続して所定の半径で湾曲している。すなわち、上部の装飾パネル１Ｃは壁面Ｐと天井面Ｒとのコーナーを覆うような形状で構成されている。このように湾曲した装飾パネル１Ｃを壁面Ｐと天井面Ｒに連続して取付け固定すると、壁面と天井面とが直角に交差する形状から丸みを帯びた独特な壁面構造とすることができる。湾曲した装飾パネル１Ｃは、例えばベースを構成する２枚のダンボールを接着するときに予め湾曲させて接着することで湾曲状態が保持され、平面に戻ることが回避される。
【００５２】
このような湾曲した装飾パネル１Ｃを壁面Ｐの上部に、同様に受け具１０と固定具２０を用いて取付け固定すると、壁面と天井面との間にコーナー部分に空間を形成することができ、この空間に照明装置３０を設置することができる。照明装置３０の設置は、例えば壁面Ｐにビス等で固定することができる。照明装置３０としては蛍光灯や電球等を用いることができるが、薄型に構成され、発熱量が少なく消費電力を節減できる発光ダイオード（ＬＥＤ）を用いた照明装置が好適である。
【００５３】
このように湾曲した装飾パネル１Ｃを壁面Ｐと天井面Ｒにまたがるように、前記の実施形態で示したブラケット１０とクランプ２０を用いて取付け固定すると、装飾パネル１Ｃと天井面Ｒとの間に隙間が形成される。装飾パネル１Ｃと壁面Ｐおよび天井面Ｒとの間に照明装置３０を設置し点灯すると、装飾パネル１Ｃは天井面Ｒとの間に隙間が形成されるため、この隙間から照明光が洩れるため、間接照明とすることができる。
【００５４】
この実施形態においても、壁面Ｐに平行に平面状の装飾パネル１を取付け固定し、湾曲した形状の装飾パネル１Ｃを壁面Ｐと天井面Ｒにまたがって取付け固定することで、防音性、断熱性等の機能性を向上させることができる。また、平面状の装飾パネル１、湾曲した装飾パネル１Ｃの機能部材５やベース２に炭の微粒子を塗布することにより、室内空気の清浄化を行うことができ、居住者に癒しの効果を与えることもできる。
【００５５】
また、照明装置として、図１４に示される照明装置３１を使用することができる。この照明装置３１は、例えばＬＥＤチップを配列した照明装置を使用し、装飾パネル１の裏面の段差４に設置するものであり、電源を供給するリード線３２，３２が両端から延出され、リード線にはコネクタ３３が接続されている。この照明装置３１を複数の装飾パネル１，１の段差４，４に設置し、コネクタ３３で接続することで、室内側から照明装置が見えない状態で間接照明することができる。この照明装置３１はコネクタ３３により複数個を連結してライン状に照明することができる。なお、照明装置としては小径の蛍光ランプ等を使用したものを用いてもよい。
【００５６】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、四辺形の装飾パネルとして正方形の装飾パネルの例について説明したが、長方形や台形、あるいは菱形等の四辺形の装飾パネルを形成してもよい。
【００５７】
また、装飾パネルのベースとして紙製のダンボールの例を示したが、プラスチックダンボールを用いてもよい。また、本発明の装飾パネルを壁面等に取付け固定する受け具、及び固定具はＰＥＴ樹脂から形成されるものを示したが、他の合成樹脂で形成してもよいのは勿論である。被覆材として生地の例を示したが、不織布を用いてもよい。さらに、装飾パネルのベースを被覆する被覆材としてプラスチックフィルム等を用いることもできる。また、装飾パネルを固定する受け具および固定具は外周の４個所とした例を示したが、さらに多くの個所としてもよい。
【００５８】
受け具および固定具として、受け具に平行な２本のリブを形成し、固定具に１本の突条を形成する例を示したが、逆に、受け具に１本の突条を形成し、固定具に平行な２本のリブを形成して、受け具の１本の突条に固定具の２本のリブを嵌合させるように構成してもよい。
【産業上の利用可能性】
【００５９】
本発明の活用例として、装飾パネルを用いて例えば住宅の天井面に取付け固定することができ、建築物の内装面に限らず外装面に装飾パネルを取付け固定することによって建築物の外装材を装飾する用途にも適用できる。この場合の被覆材はフィルム等の外装に用いることができる被覆材が好ましい。
【符号の説明】
【００６０】
１，１Ａ，１Ｂ，１Ｃ：装飾パネル、２：ベース、２ａ：表面ボード、２ｂ：裏面ボード、２ｃ：ダンボール、３，３Ａ：生地（被覆材）、４，４ａ：段差、５：ウレタンフォーム（機能部材）、６：切込み、１０，１０Ａ〜１０Ｌ：ブラケット（受け具）、１１：基部、１２，１３：リブ、１４：溝、１５：粘着テープ（粘着材）、１５ａ：離型紙、２０：クランプ（固定具）、２１：基部、２２：突条、２５：粘着テープ（粘着材）、２５ａ：離型紙、３０，３１：照明装置、ＳＰ１，ＳＰ２，ＳＰ３，ＳＰ４：スペーサ、Ｆ：面ファスファー、Ｆ１，Ｆ２：テープ部、Ｐ：壁面、Ｒ：天井面
【図１】
2011058218.tif 000003
【図２】
2011058218.tif 000004
【図３】
2011058218.tif 000005
【図４】
2011058218.tif 000006
【図５】
2011058218.tif 000007
【図６】
2011058218.tif 000008
【図７】
2011058218.tif 000009
【図８】
2011058218.tif 000010
【図９】
2011058218.tif 000011
【図１０】
2011058218.tif 000012
【図１１】
2011058218.tif 000013
【図１２】
2011058218.tif 000014
【図１３】
2011058218.tif 000015
【図１４】
2011058218.tif 000016